(57)【特許請求の範囲】
【請求項１】
ＩＳＤＮの基本インターフェースの４本の芯線が接続された４端子中の１対の端子を選択する端子選択手段と、
前記端子選択手段で選択された１対の端子間の直流電圧を測定する直流電圧測定手段と、
前記直流電圧測定手段の測定結果からＴ線と推定される端子対にＩＳＤＮ基本インターフェースＩＮＦＯ１信号を送出するＩＮＦＯ１信号送出手段と、
前記直流電圧測定手段の測定結果からＲ線と推定される端子間にＩＳＤＮ基本インターフェースＩＮＦＯ２信号を検出しその極性を判定するＩＮＦＯ２信号検出手段と、
前記端子選択手段、直流電圧測定手段、ＩＮＦＯ１信号送出手段、およびＩＮＦＯ２信号検出手段を制御する制御手段とを具備し、
前記制御手段が、
前記端子選択手段を制御して、前記４端子に対して６種の組み合わせの対を順次選択させ、
前記直流電圧測定手段を制御して、選択された６種の組み合わせの対の端子間の直流電圧を順次測定させ、
測定結果より３２Ｖ〜４４Ｖの電位差のある対の正の芯線をＲ線と推定し、負の端子をＴ線と推定し、
Ｔ線と推定される停止中の芯線対にＩＮＦＯ１信号を前記ＩＮＦＯ１信号送出手段から送出させて、Ｒ線と推定される芯線間にＩＮＦＯ２信号が現れることを前記ＩＮＦＯ２信号検出手段で識別させることによりＴ線とＲ線の推定が正しいことを判定し、Ｒ線のＡ線とＢ線を判定し、
Ｔ線と推定される停止中の芯線対にＩＮＦＯ１信号を送出させてＲ線と推定される芯線間にＩＮＦＯ２信号が現れない場合、前記端子選択手段を制御して極性を反転してＩＮＦＯ１信号を送出させ、再度ＩＮＦＯ２信号の有無の判定を行い、
ＩＮＦＯ２信号なしの場合、前記端子選択手段を制御してＴ線と推定される芯線対およびＲ線と推定される芯線対を入れ替えてＩＮＦＯ２信号有無の判定動作を繰り返し、
ＩＳＤＮ基本インターフェースのＴ線、Ｒ線およびＲ線の極性を判定することを特徴とする芯線判定装置。
【発明の詳細な説明】
【０００１】
【発明の属する技術分野】
本発明は、通信回線の配線工事および配線の管理において、ＩＳＤＮの基本インターフェースの芯線の極性を判定する芯線判定装置に関する。
【０００２】
【従来の技術】
配線盤に配線された４芯線間の直流電圧からＩＳＤＮの基本インターフェースのＲ線とＴ線とを推定することが出来る。しかし、停止状態では、その芯線が確かにＲ線あるいはＴ線であることおよびＲ線あるいはＴ線の極性を判定することが出来ない。従来は、そのため、ＩＳＤＮ端末を臨時に４芯線に接続し通信開始可否で判定していた。
【０００３】
【発明が解決しようとする課題】
本発明は上記の事情に鑑みてなされたもので、ＩＳＤＮ端末を持ち歩くことなく、ＩＳＤＮの基本インターフェースのＲ線とＴ線の別の判定およびＲ線の極性の判定をおこなう簡便な手段を与える芯線判定装置を提供することを目的とする。
【０００４】
【課題を解決するための手段】
上記目的を達成するために本発明の芯線判定装置は、ＩＳＤＮの基本インターフェースの４本の芯線が接続された４端子中の１対の端子を選択する端子選択手段と、前記端子選択手段で選択された１対の端子間の直流電圧を測定する直流電圧測定手段と、前記直流電圧測定手段の測定結果からＴ線と推定される端子対にＩＳＤＮ基本インターフェースＩＮＦＯ１信号を送出するＩＮＦＯ１信号送出手段と、前記直流電圧測定手段の測定結果からＲ線と推定される端子間にＩＳＤＮ基本インターフェースＩＮＦＯ２信号を検出しその極性を判定するＩＮＦＯ２信号検出手段と、前記端子選択手段、直流電圧測定手段、ＩＮＦＯ１信号送出手段、およびＩＮＦＯ２信号検出手段を制御する制御手段とを具備し、前記制御手段が、前記端子選択手段を制御して、前記４端子に対して６種の組み合わせの対を順次選択させ、前記直流電圧測定手段を制御して、選択された６種の組み合わせの対の端子間の直流電圧を順次測定させ、測定結果より３２Ｖ〜４４Ｖの電位差のある対の正の芯線をＲ線と推定し、負の端子をＴ線と推定し、Ｔ線と推定される停止中の芯線対にＩＮＦＯ１信号を前記ＩＮＦＯ１信号送出手段から送出させて、Ｒ線と推定される芯線間にＩＮＦＯ２信号が現れることを前記ＩＮＦＯ２信号検出手段で識別させることによりＴ線とＲ線の推定が正しいことを判定し、Ｒ線のＡ線とＢ線を判定し、Ｔ線と推定される停止中の芯線対にＩＮＦＯ１信号を送出させてＲ線と推定される芯線間にＩＮＦＯ２信号が現れない場合、前記端子選択手段を制御して極性を反転してＩＮＦＯ１信号を送出させ、再度ＩＮＦＯ２信号の有無の判定を行い、ＩＮＦＯ２信号なしの場合、前記端子選択手段を制御してＴ線と推定される芯線対およびＲ線と推定される芯線対を入れ替えてＩＮＦＯ２信号有無の判定動作を繰り返し、ＩＳＤＮ基本インターフェースのＴ線、Ｒ線およびＲ線の極性を判定することを特徴とする。
【０００６】
ＩＳＤＮの基本インターフェースの４芯線間の直流電圧を測定する手段により、６種類の組み合わせの中から、３２Ｖ〜４４Ｖの電位差のある芯線対を特定する。正の側をＲ線、負の側をＴ線と推定する。これは、ＩＳＤＮ基本インターフェースでは、ＤＳＵ（宅内データ回線終端装置）から、Ｒ線を正としてＲ線とＴ線の間に公称４０Ｖの直流電圧が印加されていること、および、Ｒ線、Ｔ線それぞれの芯線間の直流電圧は０Ｖであるとの知見によっている。
【０００７】
ＩＮＦＯ１信号を送出する手段により、Ｔ線と推定される心線間にＩＮＦＯ１信号を送出する。ＤＳＵはＴ線でＩＮＦＯ１信号を受信すると、端末からの起動要求と解釈し上位の交換機へ起動を知らせると共に、端末に向けＲ線の芯線間にＩＮＦＯ２信号を送出する。ＩＮＦＯ２信号を受信した端末は、Ｔ線にＩＮＦＯ３信号を送り、それを受けてＤＳＵはＩＮＦＯ４信号を送り、ここに至り、レイヤ１の起動過程が完了する。
【０００８】
この間、ＩＮＦＯ２信号を検出しその極性を判定する手段により、Ｒ線と推定される芯線間の信号を受信し、ＩＮＦＯ２信号が検出されれば、Ｔ線およびＲ線の推定が正しかったことが判明する。更にＩＮＦＯ２信号の極性からＲ線のＡ線とＢ線が識別される。
【０００９】
【発明の実施の形態】
以下図面を参照して本発明の実施形態例を詳細に説明する。
【００１０】
図１は本発明の一実施形態例を示す構成説明図である。図において、１は芯線に接続する端子、２はスイッチマトリックス、３は制御部、４は直流電圧測定部、５はＩＮＦＯ１信号送出部、６はＩＮＦＯ２信号検出部、７は表示部であり、端子１にはＩＳＤＮの基本インターフェースの４本の芯線が接続される。スイッチマトリックス２は４端子１中の１対の端子を選択する。直流電圧測定部４は前記スイッチマトリックス２で選択された１対の端子間の直流電圧を測定する。前記ＩＮＦＯ１信号送出部５は直流電圧測定部４の測定結果からＴ線と推定される端子対にＩＳＤＮ基本インターフェースＩＮＦＯ１信号を送出する。ＩＮＦＯ２信号検出部６は直流電圧測定部４の測定結果からＲ線と推定される端子間にＩＳＤＮ基本インターフェースＩＮＦＯ２信号を検出しその極性を判定する。制御部３は前記スイッチマトリックス２、直流電圧測定部４、ＩＮＦＯ１信号送出部５、ＩＮＦＯ２信号検出部６、および表示部７を制御する。
【００１１】
図２はＩＳＤＮ基本インターフェースで用いられるＡＭＩ（Ａｌｔｅｒｎａｔｅ  Ｍａｒｋ  Ｉｎｖｅｒｓｉｏｎ）符号によるＩＮＦＯ１信号、ＩＮＦＯ２信号、ＩＮＦＯ３信号、ＩＮＦＯ４信号を示す。ＩＮＦＯ３信号およびＩＮＦＯ４信号は、一例として基本インターフェースのＢ１チャネルとＢ２チャネルがともに使われていない状態の波形を示す。
【００１２】
図３は以下に述べる実施形態例の制御のシーケンスを示す。
【００１３】
判定対象の４芯線を芯線接続端子１に接続し、以下の判定動作を開始する。
【００１４】
スイッチマトリックス２を制御して、４端子の中の１対を、直流電圧測定部４に接続し、直流電圧を測定し、制御部３へ結果を渡す。４端子に対して６種の組み合わせの対について順次、直流電圧測定を行う。測定が完了すると測定結果より、３２Ｖ〜４４Ｖの電位差のある対を制御部３で判定する。その対の正の端子をＲ線と推定する。負の端子をＴ線と推定する。４芯線がＩＳＤＮ基本インターフェースを構成する場合は、Ｒ線２芯線とＴ線２芯線が推定される。
【００１５】
スイッチマトリックス２を制御して、Ｔ線と推定される端子対をＩＮＦＯ１信号送出部５に接続し、Ｒ線と推定される端子対をＩＮＦＯ２信号検出部６に接続する。
【００１６】
ＩＮＦＯ２信号検出部６で、ＩＮＦＯ２信号の有無を判定する。ＩＮＦＯ２信号ありの場合は、極性も判定する。判定結果を制御部３へ渡す。ＩＮＦＯ２信号なしの場合、ＩＮＦＯ１信号送出部５からＩＮＦＯ１信号を送出する。ＩＮＦＯ２信号検出部６で、ＩＮＦＯ２信号の有無を判定し、制御部３へ判定結果を渡す。ＩＮＦＯ２信号ありの場合、合わせてその極性を判定する。一定時間経過後、または、ＩＮＦＯ２信号検出後、ＩＮＦＯ１信号の送出を停止する。ＩＮＦＯ２信号なしの場合、スイッチマトリックス２を制御して極性を反転してＩＮＦＯ１信号送出部５からＩＮＦＯ１信号を送出し、再度、ＩＮＦＯ２信号検出部６でＩＮＦＯ２信号有無の判定を行い、制御部３へ判定結果を渡す。ＩＮＦＯ２信号ありの場合、合わせてその極性を判定する。一定時間経過後、または、ＩＮＦＯ２信号検出後、ＩＮＦＯ１信号の送出を停止する。ＩＮＦＯ２信号なしの場合、スイッチマトリックス２を制御してＴ線と推定される端子対およびＲ線と推定される端子対を入れ替えてＩＮＦＯ２信号有無の判定動作を繰り返す。
【００１７】
なお、ＩＮＦＯ２信号の検出は、ＡＭＩ符号則のバイオレーションによりフレームパルスの位置を判定し、各ビットが図２のＩＮＦＯ２信号のものであることを照合して行える。極性はフレームパルスの極性で判定できる。
【００１８】
制御部３へ渡された判定結果に基づいて、表示部７でＴ線と判定した端子対、および、Ｒ線と判定した端子対とそれぞれの極性（Ａ線とＢ線）を表示する。
【００１９】
【発明の効果】
以上述べたように本発明によれば、停止中でも起動を掛けることでＩＳＤＮ基本インターフェースのＴ線、Ｒ線およびＲ線の極性を判定することが可能になる。
【図面の簡単な説明】
【図１】本発明の一実施形態例を示す構成説明図である。
【図２】ＩＳＤＮ基本インターフェースのＴ線に現れるＩＮＦＯ１信号とＩＮＦＯ３信号、およびＲ線に現れるＩＮＦＯ２信号とＩＮＦＯ４信号を例示する図面である。
【図３】本発明の実施形態例における制御のシーケンスを例示するフロー図である。
【符号の説明】
１  芯線接続端子
２  スイッチマトリックス
３  制御部
４  直流電圧測定部
５  ＩＮＦＯ１信号送出部
６  ＩＮＦＯ２信号検出部
７  表示部
【図１】
0003788885.tif 000002
【図２】
0003788885.tif 000003
【図３】
0003788885.tif 000004